(57)【要約】【課題】通信システムにおいて、他の装置の操作に基づいて動作する装置を、操作する者の権限を超えることなく動作させることができるようにする。【解決手段】子供用端末２００の使用者の保護者にあたる人物の承認をもって、子供用端末２００のユーザによる、親用端末１００を使用したインターネット接続が実現される。このとき、親用端末１００は、子供用端末２００をマスターとしたスレーブ端末として、使用される。なお、子供用端末２００の支配下で使用される場合、親用端末１００でのアプリケーションの使用範囲やデータの参照範囲は、親用端末１００において予め設定されたものに限定される。【選択図】図１
2013157863.tif 000002
【特許請求の範囲】
【請求項１】
通信システムにおいて通信端末と通信可能な通信装置であって、
アプリケーションを実行するための実行手段と、
前記アプリケーションについての動作を制限するための情報である制限情報を記憶するための記憶手段と、
前記通信端末からの接続要求に基づいて前記通信端末と通信するための通信手段とを備え、
前記実行手段は、前記通信端末からの指示に基づき、前記通信端末に関連付けられて記憶された前記制限情報に従って、前記アプリケーションを実行する、通信装置。
【請求項２】
前記通信手段は、前記通信端末をマスターとしたスレーブとして前記通信端末と通信する、請求項１に記載の通信装置。
【請求項３】
前記記憶手段は、前記アプリケーションにおいて利用されるデータをさらに記憶し、
前記制限情報は、前記データについての利用を制限するための情報を含み、
前記実行手段は、前記通信端末に関連付けられて記憶された前記制限情報に従って前記データを処理する、請求項１または請求項２に記載の通信装置。
【請求項４】
通信システムにおいて通信端末と通信可能な通信装置を構成するコンピュータを制御するための制御プログラムであって、
前記コンピュータに、
アプリケーションを実行するステップと、
前記アプリケーションについての動作を制限するための情報である制限情報を記憶するステップと、
前記通信端末からの接続要求に基づいて前記通信端末と通信するステップとを実行させ、
前記アプリケーションを実行するステップは、前記通信端末からの指示に基づき、前記通信端末に関連付けられて記憶された前記制限情報に従って、前記アプリケーションを実行する、通信装置の制御プログラム。
【請求項５】
通信装置と、前記通信装置と通信可能な通信端末とを含む通信システムであって、
前記通信端末は、
前記通信装置に接続要求を出力するための出力手段を含み、
前記通信装置は、
アプリケーションを実行するための実行手段と、
前記アプリケーションについての動作を制限するための情報である制限情報を記憶するための記憶手段と、
前記通信端末からの接続要求に基づいて前記通信端末と通信するための通信手段とを含み、
前記実行手段は、前記通信端末からの指示に基づき、前記通信端末に関連付けられて記憶された前記制限情報に従って、前記アプリケーションを実行する、通信システム。
【請求項６】
前記通信手段は、前記通信端末をマスターとしたスレーブとして前記通信端末と通信する、請求項５に記載の通信システム。
【請求項７】
前記記憶手段は、前記アプリケーションにおいて利用されるデータをさらに記憶し、
前記制限情報は、前記データについての利用を制限するための情報を含み、
前記実行手段は、前記通信端末に関連付けられて記憶された前記制限情報に従って前記データを処理する、請求項５または請求項６に記載の通信システム。
【請求項８】
前記通信端末は、前記通信装置に接続要求を出力する指示を入力するための入力手段をさらに備え、
前記出力手段は、前記入力手段に前記指示が入力された場合に、認証用端末に、前記接続要求の出力の承認の要求を出力し、当該認証用端末から前記接続要求の出力を承認する情報を受信したことを条件として、前記通信装置に前記接続要求を出力する、請求項５〜請求項７のいずれかに記載の通信システム。
【発明の詳細な説明】
【技術分野】
【０００１】
本発明は、通信装置、その制御プログラム、および、通信システムに関し、特に、複数の通信装置を利用した通信システムおよびそのような通信システムにおいて利用される装置に関する。
【背景技術】
【０００２】
従来から、或る装置を他の装置の指示に従って動作させるシステムにおいて種々検討がなされている。
【０００３】
たとえば、特許文献１（特開２００９−２９０４８１号公報）には、或る携帯電話を、他の携帯電話に対する操作によって動作可能とするための技術が開示されている。当該技術では、上記或る携帯電話は、上記他の携帯電話において個人の判定がなされた結果として当該他の携帯電話から出力される認証信号を受信したことを条件として、上記したような動作が実現される。
【０００４】
また、特許文献２（特開２０１１−２４４４９９号公報）には、携帯電話機から簡単な操作で家庭内の家電品の操作を行なうためのシステムが開示されている。当該システムでは、サービス機器は、携帯電話機のインターネットホームページ閲覧機能を利用し、インターネットと公衆回線に接続されホームページを提供する。そして、当該システムでは、ユーザが、携帯電話機を用いてホームページ上で家電製品の操作を指示することにより、サービス機器は、家庭に設置された遠隔操作アダプタに公衆回線経由で操作指示を行う。これに応じて、遠隔操作アダプタが家電品を制御する。
【先行技術文献】
【特許文献】
【０００５】
【特許文献１】特開２００９−２９０４８１号公報
【特許文献２】特開２０１１−２４４４９９号公報
【発明の概要】
【発明が解決しようとする課題】
【０００６】
近年、子供にも携帯電話等の通信装置を携帯させる場面があり、そのように子供に使用させる通信装置（以下、適宜「子供用端末」とも言う）には、インターネット接続の機能制限等、一部の機能を制限する設定がなされている場合がある。そして、このような場合に、子供が、親が所有する通信装置（以下、適宜「親用端末」とも言う）の一部の機能を利用する等、上記子供用端末から親が所有する通信装置を操作するときがある。
【０００７】
このとき、特許文献１および特許文献２に記載の技術では、上記子供は、親用端末に許可された機能の範囲で通信機能を利用できてしまい、日々狡猾になっているネット犯罪等に対応できない、という問題が生じる。
【０００８】
さらに、子供が、子供用端末を介して親用端末を動作させる場合、子供は、親用端末内のデータを誤って消去したり、親用端末内に登録された連絡先に誤って連絡してしまったり、という問題も想定される。
【０００９】
つまり、従来の技術によれば、或る装置を、他の装置の操作に基づいて動作させる場合、当該他の装置を操作する者が、当該他の装置を操作する者に与えられた権限等を越えて上記或る装置を動作させてしまうことを回避することができなかった。
【００１０】
本発明は、かかる実情に鑑み考え出されたものであり、その目的は、他の装置の操作に基づいて動作する装置を、操作する者の権限を超えることなく動作させることができるようにすることである。
【課題を解決するための手段】
【００１１】
本発明に従った通信装置は、通信システムにおいて通信端末と通信可能な通信装置である。当該通信装置は、アプリケーションを実行するための実行手段と、アプリケーションについての動作を制限するための情報である制限情報を記憶するための記憶手段と、通信端末からの接続要求に基づいて通信端末と通信するための通信手段とを備える。実行手段は、通信端末からの指示に基づき、通信端末に関連付けられて記憶された制限情報に従って、アプリケーションを実行する。
【００１２】
好ましくは、通信手段は、通信端末をマスターとしたスレーブとして通信端末と通信する。
【００１３】
好ましくは、記憶手段は、アプリケーションにおいて利用されるデータをさらに記憶する。制限情報は、データについての利用を制限するための情報を含む。実行手段は、通信端末に関連付けられて記憶された制限情報に従ってデータを処理する。
【００１４】
本発明に従った制御プログラムは、通信システムにおいて通信端末と通信可能な通信装置を構成するコンピュータを制御するための制御プログラムである。当該プログラムは、コンピュータに、アプリケーションを実行するステップと、アプリケーションについての動作を制限するための情報である制限情報を記憶するステップと、通信端末からの接続要求に基づいて通信端末と通信するステップとを実行させる。アプリケーションを実行するステップは、通信端末からの指示に基づき、通信端末に関連付けられて記憶された制限情報に従って、アプリケーションを実行する。
【００１５】
本発明に従った通信システムは、通信装置と、通信装置と通信可能な通信端末とを含む通信システムである。当該通信システムにおいて、通信端末は、通信装置に接続要求を出力するための出力手段を含む。通信装置は、アプリケーションを実行するための実行手段と、アプリケーションについての動作を制限するための情報である制限情報を記憶するための記憶手段と、通信端末からの接続要求に基づいて通信端末と通信するための通信手段とを含む。実行手段は、通信端末からの指示に基づき、通信端末に関連付けられて記憶された制限情報に従って、アプリケーションを実行する。
【００１６】
好ましくは、通信手段は、通信端末をマスターとしたスレーブとして通信端末と通信する。
【００１７】
好ましくは、記憶手段は、アプリケーションにおいて利用されるデータをさらに記憶する。制限情報は、データについての利用を制限するための情報を含む。実行手段は、通信端末に関連付けられて記憶された制限情報に従ってデータを処理する。
【００１８】
好ましくは、通信端末は、通信装置に接続要求を出力する指示を入力するための入力手段をさらに備える。出力手段は、入力手段に指示が入力された場合に、認証用端末に、接続要求の出力の承認の要求を出力し、当該認証用端末から接続要求の出力を承認する情報を受信したことを条件として、通信装置に接続要求を出力する。
【発明の効果】
【００１９】
本発明によれば、通信装置では、実行手段は、通信端末からの接続要求があった場合、当該通信端末からの指示に基づいて、アプリケーションを実行する。なお、実行手段は、通信装置において当該通信端末に関連付けられて記憶された制限情報に従って、上記アプリケーションを実行する。
【００２０】
これにより、通信装置が通信端末からの指示に基づいてアプリケーションを実行する場合、無制限に（通信装置に与えられた権限のみに基づいて）アプリケーションが実行されることを回避できる。
【図面の簡単な説明】
【００２１】
【図１】本発明の一実施の形態である通信システムの全体構成を示す図である。
【図２】親用端末のハードウェア構成を模式的に示す図である。
【図３】子供用端末のハードウェア構成を模式的に示す図である。
【図４】子供用端末と親用端末の間のペアリングの際に実行される処理のフローチャートである。
【図５】子供用端末の表示部に表示される検索結果の一例を示す図である。
【図６】親用端末の表示部に表示される問合せ画面の一例を示す図である。
【図７】子供用端末と接続が確立していない状態で、親用端末の表示部に表示されるメイン画面の一例を示す図である。
【図８】子供用端末と接続が確立している状態で、親用端末の表示部に表示されるメイン画面の一例を示す図である。
【発明を実施するための形態】
【００２２】
以下、本発明の通信装置を含む通信システムの実施の形態について、図面を参照して説明する。なお、以下の説明において、同一の機能および作用を有する要素については、同じ各図を通して同じ符号を付し、重複する説明を繰返さない。
【００２３】
＜システム構成＞
図１は、本発明の一実施の形態である通信システムの全体構成を示す図である。
【００２４】
図１を参照して、本実施の形態の通信システムは、親用端末１００と子供用端末２００とを含む。子供用端末２００は、インターネット接続画面を表示するためのディスプレイを持たない、たとえば携帯電話等の端末である。一方、親用端末１００は、そのようなディスプレイを備え、そして、子供用端末２００からのＢｌｕｅｔｏｏｔｈ（登録商標）通信を受信可能な機能を有する。本実施の携帯の通信システムでは、Ｂｌｕｅｔｏｏｔｈ（登録商標）接続により、親用端末１００が、子供用端末２００のディスプレイ代替え機として使用される。
【００２５】
子供用端末２００は、承認用の端末に対し、Ｂｌｕｅｔｏｏｔｈ（登録商標）のペアリングの申請（たとえば、識別コード（リンクキー等）の送信）を行なう。なお、本実施の形態では、承認用の端末は、親用端末１００によって兼用される。そして、当該申請の際には、子供用端末２００から、当該子供用端末２００に格納された、上記承認用の端末を特定する連絡先（たとえば、保護者のメールアドレス）に、自動的に連絡（たとえば、電子メールによる通知）がなされる。そして、当該連絡先からの承認（たとえば、当該保護者のメールアドレスから子供用端末２００に割り当てられたメールアドレスへの承認メールの送信）を条件として、上記申請が実現される。
【００２６】
本実施の形態の通信システムでは、ペアリングの通信は、子供用端末２００がマスターとして、親用端末１００がスレーブとして、行なわれる。なお、本明細書では、親用端末１００がマスターであり、子供用端末２００がスレーブである通信環境下において子供用端末２００が動作することを、子供用端末２００が親用端末１００の「支配下で使用」される、とも言う。
【００２７】
本実施の形態の通信システムでは、上記申請により、子供用端末２００と親用端末１００とは、ペアリングされる。ペアリングの期間中、Ｂｌｕｅｔｏｏｔｈ（登録商標）接続中の親用端末１００と子供用端末２００のシステムにおけるインターネット接続には、子供用端末２００が有する３Ｇ通信システムが使用される。また、インターネットサービスで享受される各種データは、子供用端末２００の内部のメモリ内に格納される。
【００２８】
インターネットサービスにより上記のようにメモリ内部に格納された音楽データの再生並びに着メロ（登録商標）等の携帯カスタマイズ機能は、子供用端末２００単独での使用可能である。一方、上記のようなサービスがディスプレイを必要とするアプリケーション等の機能は、親用端末１００との通信中のみ、親用端末１００のディスプレイを使用することにより実現される。
【００２９】
本実施の形態における、子供用端末２００による親用端末１００の操作範囲は、親用端末１００のディスプレイおよび親用端末１００において許可するように設定されたアプリケーションに制限される。
【００３０】
また、通信に利用されるＢｌｕｅｔｏｏｔｈ（登録商標）プロファイルとしては、ＳＰＰ（Serial  Port  Profile）、ＨＩＤ（Human  Interface  Device  Profile）、ＬＡＰ（LAN（Local  Area  Network）  Access  Profile）等の使用が想定されるが、これらに限定されず、これら以外であってもよい。
【００３１】
＜親用端末のハードウェア構成＞
図２は、親用端末１００のハードウェア構成を模式的に示す図である。
【００３２】
図２を参照して、親用端末１００は、当該親用端末１００の動作を全体的に制御する制御部５０、データの送受信を行なうためのアンテナ８１、アンテナ８１によるデータの送受信の際の信号の処理等を行なう通信制御部８０、Ｂｌｕｅｔｏｏｔｈ（登録商標）等の近距離無線通信を行なうためのモジュールである無線通信モジュール９０、フラッシュメモリ等からなる記憶部６０、情報の入力を受け付けるタッチセンサ４０、表示部３０、表示部３０における表示内容を制御する表示制御部５１、主に通話機能に利用されるレシーバ５６およびマイク５８、アラーム音等を出力するスピーカ５７、レシーバ５６，スピーカ５７から出力させる音声を制御する音声出力制御部５３，５４、マイク５８に入力された音声を処理する音声入力制御部５５、ならびに、カメラ９１を含む。
【００３３】
制御部５０は、ＣＰＵ（Central Processing Unit）を含む。また、タッチセンサ４０は、シート状であり、表示部３０の上に設けられることにより表示部３０とともにタッチパネルを構成する。
【００３４】
記憶部６０には、制御部５０のＣＰＵが実行するプログラムを記憶するプログラム記憶部６１と、アドレス帳等の親用端末１００に対する設定内容を記憶する設定内容記憶部６２と、後述する種々のテーブルやプログラム記憶部６１に記憶されるプログラムが実行されるために必要な種々のデータを記憶するデータ記憶部６３が含まれる。
【００３５】
記憶部６０は、親用端末１００本体から着脱可能な記憶媒体によって実現されても良い。上記ＣＰＵは、当該記憶媒体との間で所定のドライバを介して情報の読込および書き込みを行なう。このような記憶媒体としては、ＣＤ−ＲＯＭ（Compact  Disk  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disk）、ＭＤ（Mini  Disk）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read  Only  Memory）などの、不揮発的にプログラムやデータを格納する媒体が挙げられる。
【００３６】
制御部５０は、その機能として、他の端末との通信のための処理を実行するネットワーク処理部５０Ａと、上記したように子供用端末２００とペアリングして通信するための処理を実行するペアリング処理部５０Ｂと、親用端末１００にインストールされているアプリケーションの実行を制御するためのアプリ制御部５０Ｃと、記憶部６０に格納されているデータの取扱いの処理を行うデータ制御部５０Ｄとを含む。
【００３７】
＜子供用端末のハードウェア構成＞
図３は、子供用端末２００のハードウェア構成を模式的に示す図である。
【００３８】
図３を参照して、子供用端末２００は、当該子供用端末２００の動作を全体的に制御する制御部２５０、データの送受信を行なうためのアンテナ２８１、アンテナ２８１によるデータの送受信の際の信号の処理等を行なう通信制御部２８０、Ｂｌｕｅｔｏｏｔｈ（登録商標）等の近距離無線通信を行なうためのモジュールである無線通信モジュール２９０、フラッシュメモリ等からなる記憶部２６０、１または複数のハードウェアボタンからなる操作ボタン２４０、表示部２３０、表示部２３０における表示内容を制御する表示制御部２５１、主に通話機能に利用されるレシーバ２５６およびマイク２５８、アラーム音等を出力するスピーカ２５７、レシーバ２５６，スピーカ２５７から出力させる音声を制御する音声出力制御部２５３，２５４、マイク２５８に入力された音声を処理する音声入力制御部２５５、ならびに、カメラ２９１を含む。制御部２５０は、ＣＰＵを含む。
【００３９】
記憶部２６０には、制御部２５０のＣＰＵが実行するプログラムを記憶するプログラム記憶部２６１と、アドレス帳等の子供用端末２００に対する設定内容を記憶する設定内容記憶部２６２と、後述する種々のテーブルやプログラム記憶部２６１に記憶されるプログラムが実行されるために必要な種々のデータを記憶するデータ記憶部２６３が含まれる。
【００４０】
記憶部２６０は、子供用端末２００本体から着脱可能な記憶媒体によって実現されても良い。上記ＣＰＵは、当該記憶媒体との間で所定のドライバを介して情報の読込および書き込みを行なう。このような記憶媒体としては、ＣＤ−ＲＯＭ、ＤＶＤ−ＲＯＭ、ＵＳＢメモリ、メモリカード、ＦＤ、ハードディスク、磁気テープ、カセットテープ、ＭＯ、ＭＤ、ＩＣカード（メモリカードを除く）、光カード、マスクＲＯＭ、ＥＰＲＯＭ、ＥＥＰＲＯＭなどの、不揮発的にプログラムやデータを格納する媒体が挙げられる。
【００４１】
制御部２５０は、その機能として、他の端末との通信のための処理を実行するネットワーク処理部２５０Ａと、上記したように親用端末１００とペアリングして通信するための処理を実行するペアリング処理部２５０Ｂと、子供用端末２００にインストールされているアプリケーションの実行を制御するためのアプリ制御部２５０Ｃとを含む。
【００４２】
＜ペアリング処理＞
図４は、子供用端末２００と親用端末１００の間のペアリングの際に実行される処理のフローチャートである。
【００４３】
本実施の形態において、子供用端末２００と親用端末１００は、Ｂｌｕｅｔｏｏｔｈ（登録商標）機器として機能する。そして、子供用端末２００と親用端末１００の間のペアリングは、双方の機器がペアリングモードに移行している状態で実現される。
【００４４】
まず、子供用端末２００側の処理について説明する。
図４を参照して、制御部２５０は、ステップＳＡ１０で、ペアリング可能端末を検索し、検索結果を表示部２３０に表示し、そして、検索結果からペアリングする端末の選択を受け付ける。ペアリング可能端末の検索は、たとえば、"inquiry"動作によって実現される。
【００４５】
"inquiry scan"動作中の親用端末１００の制御部５０は、当該"inquiry"動作に応じて、自機のアドレス情報等を子供用端末２００に送信する。制御部２５０は、このようにして受信したアドレス情報等を、上記検索結果として表示する。
【００４６】
図５は、子供用端末２００の表示部２３０に表示される検索結果の一例を示す図である。
【００４７】
図５を参照して、表示部２３０には、検索結果が、「デバイス一覧」として示されている。より具体的には、検索結果として「携帯電話Ａ」が示されている。本実施の形態では、「携帯電話Ａ」とは、親用端末１００を意味する。そして、ステップＳＡ１０において「携帯電話Ａ」が選択された場合について、説明する。
【００４８】
次に、制御部２５０は、ステップＳＡ２０において、上記した承認用の端末に、ステップＳＡ１０において選択された端末とのペアリングの許可を要求する情報を送信する。当該情報の送信は、たとえば電子メールの送信によって実現される。当該電子メールには、選択された端末を特定する情報（たとえば、「携帯電話Ａ」のアドレス情報）と、ペアリングの許可を問い合わせる情報とが含まれる。上記した承認用の端末のメールアドレスは、予めデータ記憶部２６３に登録されている。
【００４９】
子供用端末２００からの要求の送信に応じて、上記承認用の端末は、ステップＳＣ１０において、ペアリングを承認するか否かが判断される。当該判断は、たとえば、制御部５０が、表示部３０に、子供用端末２００から送信されてきた選択された端末を特定する情報等を含む問合画面を表示させ、承認するか否かの情報の入力を受付け、入力された情報の内容に従って実現される。制御部５０は、承認するか否かの情報が入力されると、当該入力された情報に従って判断を行ない、ステップＳＣ２０へと処理を進める。
【００５０】
そして、承認用の端末の制御部（制御部５０）は、ステップＳＣ２０において、子供用端末２００に対して、ステップＳＣ１０における承認（の判断）の結果を送信する。この承認の結果は、たとえば、承認の結果を含む電子メールとして、送信される。
【００５１】
子供用端末２００では、これに応じて、ステップＳＡ３０で、申請の許可の要求に対する、承認用の端末からの結果を判断する。そして、承認用の端末からの結果が申請を却下するものであると判断した場合には、その旨を表示部２３０に表示させて、処理を終了する。この場合、たとえば表示部２３０には、たとえば、「承認用の端末において、ペアリングの申請が却下されました。」というメッセージが表示される。
【００５２】
一方、ステップＳＡ３０において、承認用の端末からの返信が申請を承認するものであると判断した場合には、制御部２５０は、ステップＳＡ４０へ進める。
【００５３】
ステップＳＡ４０では、制御部２５０は、ステップＳＡ１０において選択された端末（親用端末１００）に対して、ペアリング申請を発信する。ペアリング申請の発信は、たとえば、識別コードの送信等のpage動作によって実現される。
【００５４】
次に、ペアリング申請を受信した端末（親用端末１００）側の処理について説明する。
上記のように子供用端末２００がペアリング申請を送信すると、親用端末１００の制御部５０は、ステップＳＢ１０において、当該申請を受信して、ステップＳＢ２０へ処理を進める。具体的には、親用端末１００は、上記のようにアドレス情報等を子供用端末２００に送信した後、page  scan動作を行ないながら子供用端末２００のpage動作があるまで待機する。そして、page動作が行なわれると、上記の識別コード等を受信することにより、ペアリング申請を受信する。
【００５５】
また、ステップＳＢ１０では、制御部５０は、上記申請を受信したことを表示部３０に表示し、上記申請に基づくペアリングの要求を許可するか否かを親用端末１００のユーザーに問い合わせる。図６は、このときに表示部３０に表示される問合せ画面の一例を示す図である。
【００５６】
図６を参照して、表示部３０には、「「携帯電話Ｂ」からのペアリング要求を許可しますか？」というメッセージが表示されている。ここで、携帯電話Ｂとは、子供用端末２００を意味する。また、表示部３０には、ペアリング要求を許可する情報の入力のための「はい」ボタンと、拒否する情報の入力のための「いいえ」ボタンが表示されている。タッチセンサ４０の「はい」ボタンに対応する場所をタッチされると、要求を許可する情報が制御部５０に入力される。また、タッチセンサ４０の「いいえ」ボタンに対応する場所をタッチされると、要求を拒否（却下）する情報が制御部５０に入力される。
【００５７】
ステップＳＢ２０では、制御部５０は、ステップＳＢ１０における問合せに対して入力された情報の内容に基づいて処理を進める。具体的には、要求を許可する情報が入力された場合にはステップＳＢ３０へ処理を進め、拒否（却下）する情報が入力された場合にはそのまま処理を終了させる。なお、後者の場合には、制御部５０は、表示部３０に、たとえば「携帯電話Ｂからのペアリング要求を却下します。」等の、入力された情報に対応したメッセージを表示させた後、処理を終了させる。
【００５８】
ステップＳＢ３０では、制御部５０は、ペアリングの際に、予め選択され記憶部６０に登録されている、Ｂｌｕｅｔｏｏｔｈ（登録商標）通信時に子供用端末２００の支配を受けるアプリケーションの内容を検索して、ステップＳＢ４０へ処理を進める。このような情報の登録内容の一例を、表１に示す。
【００５９】
【表１】
2013157863.tif 000003
【００６０】
表１には、「アプリ名」、「使用可否」、および、「許可範囲」が互いに関連付けられて示されている。「アプリ名」は、親用端末１００にインストールされているアプリケーションの名称である。「使用可否」は、当該アプリケーションの、ペアリングでのＢｌｕｅｔｏｏｔｈ（登録商標）通信時に子供用端末２００の支配を受けることを許可するか否かを示す情報である。「○」は、支配を許可し、「×」は支配を拒否することを示す。「許可範囲」は、使用（支配）を許可する範囲を示す。
【００６１】
表１では、たとえばアプリ名「ウェブブラウザ」について、使用を許可し、その範囲として、閲覧禁止ＵＲＬ（Uniform  Resource  Locator）が示されている。これは、閲覧禁止ＵＲＬとして挙げられているＵＲＬ以外のＵＲＬの閲覧を許可することを意味している。
【００６２】
また、表１では、アプリ名「アドレス帳」については、アドレス帳アプリケーションについては、子供用端末２００の支配下による使用を拒否することを意味する。
【００６３】
また、表１では、アプリ名「カメラ」については、使用を許可し、その範囲として「制限無し」が示されている。これは、カメラ９１による撮影をするためのアプリケーションについては、子供用端末２００の支配下による使用を制限無く許可することを意味する。
【００６４】
ステップＳＢ４０では、制御部５０は、記憶部６０に登録されているデータのうち、保護するデータをロックして、ステップＳＢ５０へ処理する。保護するデータのロックとは、親用端末１００が子供用端末２００の支配下で使用される場合に、当該データの書換えを禁止する旨の設定をする（たとえば、フラグを立てる）処理である。
【００６５】
なお、データ記憶部２６３には、記憶部６０に登録されているデータのうち、ロックするデータを特定する情報が登録されている。このような登録情報の一例を、表２に示す。
【００６６】
【表２】
2013157863.tif 000004
【００６７】
表２には、「データ」、「利用可否」、「許可範囲」が互いに関連付けられて示されている。「データ」とは、記憶部６０に登録されているデータの名称である。なお、名称の代わりに、登録されている記憶領域を特定する情報であっても良い。「利用可否」は、親用端末１００が子供用端末２００の支配下で使用される際に、当該データの利用を許可するか否かを特定する情報である。「許可範囲」は、利用を許可する範囲を特定する情報である。
【００６８】
表１において、たとえばデータ名「住所録」は、利用が拒否されている。これにより、親用端末１００が子供用端末２００の支配下で使用される際には、アドレス帳のデータ（住所録データ）は、参照さえ許されない。
【００６９】
また、表１において、データ名「スケジュール」は、利用が許可され、その範囲は「閲覧のみ」とされている。これにより、親用端末１００が子供用端末２００の支配下で使用される際には、スケジュールのデータは、参照のみが許可され、その書き換えは許されない。
【００７０】
ステップＳＢ５０では、制御部５０は、自機をconnection状態にするために、子供用端末２００のpage信号を受信した後、子供用端末２００のアドレスおよびクロックオフセット情報に合わせて自機の設定を行ない、子供用端末２００からの情報の受信を待ち受ける状態に入ったことを子供用端末２００に報知する。これにより、親用端末１００は、スレーブ状態に入る。
【００７１】
これに応じて、子供用端末２００では、制御部２５０は、ステップＳＡ５０において、子供用端末２００と親用端末１００の間でのリンク情報の交換の開始等、connection状態が確立させるための処理を実行する。
【００７２】
これにより、子供用端末２００と親用端末１００の間でconnection状態が確立する。
＜通信処理＞
図４を参照して説明したようなペアリング処理の後、子供用端末２００と親用端末１００の間で、Ｂｌｕｅｔｏｏｔｈ（登録商標）接続が確立される。当該接続では、子供用端末２００がマスターであり、親用端末１００がスレーブである。そして、当該接続により、親用端末１００が、子供用端末２００のディスプレイ代替え機として使用される。なお、外部のネットワークへの通信には、子供用端末２００が有する３Ｇ通信システムが使用される。
【００７３】
たとえば、親用端末１００において、アプリケーションの一例としてウェブブラウザが起動されると、親用端末１００のタッチセンサ４０が操作されることにより、子供用端末２００を介して、ネットワーク上のウェブページがダウンロードされる。なお、当該ウェブページは、表示部３０に表示される。
【００７４】
なお、このようなウェブブラウザによるウェブページの閲覧には、ステップＳＢ３０において検索された結果に従った制限が課される。具体的には、表１に示された、「ウェブブラウザ」に対する制限が課されることにより、親用端末１００が閲覧禁止ＵＲＬに接続しようとした場合には、その接続が禁止される。
【００７５】
また、表１において使用を拒否されているアプリケーションにおいては、子供用端末２００と上記のような接続が確立した状態では、親用端末１００では起動できないようになっている。このような制御の例を、図７および図８を参照して説明する。
【００７６】
図７は、子供用端末２００と上記のような接続が確立していない状態で、制御部５０が表示部３０に表示させるメイン画面の一例である。一方、子供用端末２００と上記のような接続が確立している状態で、制御部５０が表示部３０に表示させるメイン画面の一例である。
【００７７】
図７の表示部３０には、アイコン３０１〜３０９が表示されている。アイコン３０１は、通話アプリケーションを起動させるためのアイコンである。アイコン３０２は、カメラ９１による撮影を行なうアプリケーションを起動させるためのアイコンである。アイコン３０３は、データ記憶部６３に登録された連絡先を閲覧・編集するためのアドレス帳アプリケーションを起動させるためのアイコンである。アイコン３０４は、ネットワーク上のショッピングサイトにアクセスするアプリケーションを起動させるためのアイコンである。アイコン３０５は、ネットワーク上のコンテンツを閲覧するアプリケーションを起動させるためのアイコンである。アイコン３０６は、計算機を使用するアプリケーションを起動させるためのアイコンである。アイコン３０７は、電子書籍の閲覧等をするアプリケーションを起動させるためのアイコンである。アイコン３０８は、時刻情報を見るためのアプリケーションを起動させるためのアイコンである。アイコン３０９は、天気情報を見るためのアプリケーションを起動させるためのアイコンである。
【００７８】
図８の表示部３０には、図７の表示部３０に表示されたアイコンのうち、アイコン３０３が表示されていない。これは、表１において、アプリ名「アドレス帳」の使用が拒否されていることに基づく。なお、アイコン３０４についても図８の表示部３０には表示されていない。これは、表１には示されていないが、アイコン３０４に対応するアプリケーションについても、親用端末１００が子供用端末２００の支配下で使用される際に使用を禁止されていることに対応している。
【００７９】
また、子供用端末２００と上記のような接続が確立した状態では、親用端末１００では、表２に従ったデータ利用についての制限が課される。表２において住所録データの利用が拒否されていることは、上記したように、図８の表示部３０においてアイコン３０３が表示されないことに対応している。また、子供用端末２００の支配下で使用されているときには、親用端末１００では、制御部５０は、他のアプリケーションが起動されているときにも、住所録データの参照をできないように、処理を実行する。
【００８０】
たとえば、制御部５０は、子供用端末２００の支配下で使用されていない場合には、通話アプリケーションの起動中に連絡先として住所録データを参照できるように制御を実行する一方で、子供用端末２００の支配下で使用されている場合には、通話アプリケーションの起動中に連絡先としての住所録データの参照をできないように（参照を拒否する、または、参照のメニュー自体を表示しないようにする）、制御を実行する。
【００８１】
＜変形例等＞
本実施の形態において主に図４を参照して説明されたペアリング処理では、子供用端末２００は、ステップＳＡ１０において選択された相手端末とのペアリングの許可を承認用の端末に要求し、当該承認用の端末から、ペアリングを承認する情報を受信したことを条件として、選択された相手端末（親用端末１００）に対してペアリングの申請を発信した。承認用の端末は、親用端末１００であっても良いし、他の端末であっても良い。
【００８２】
なお、ペアリング申請の発信の条件は、このようなものに限定されない。たとえば、子供用端末２００において予めペアリングを許可される相手端末を特定する情報が登録されており、ステップＳＡ１０において選択された端末がこのような情報によって特定されることを条件として、申請の発信が行なわれても良い。なお、上記情報の登録とは、たとえば、データ記憶部２６３に、当該端末（スレーブ端末）のアドレス情報等が記憶されることによって実現される。また、子供用端末２００は、どのような端末とでもペアリングできるように構成されても良い。
【００８３】
以上説明した本実施の形態によれば、子供用端末２００の使用者の保護者にあたる人物の承認をもって、親用端末１００を使用したインターネット接続が実現される。これにより、従来のように使用者が個人の際限でインターネット犯罪並びに有害サイトへ接続することを保護者によって監視・制限・抑制できるようになり、インターネットを使用させる弊害が軽減される。
【００８４】
また、親用端末１００の子供用端末２００の支配下での使用は、予め定められた一定の範囲内（一定の領域内、または、特定の機器から一定の距離内、等）でのみ許可されるように構成されても良い。この場合、たとえば、制御部２５０は、ステップＳＡ４０において、親用端末１００または子供用端末２００の位置情報を取得し、当該情報によって特定される位置が一定の領域内または特定の機器から一定の距離内に位置することを条件として、親用端末１００に対してペアリング申請を発信することができる。
【００８５】
子供用端末２００がこのように構成されることにより、ディスプレイを代替えとすることにより使用者個人のみでのインターネット閲覧を、一定の範囲内に限定でき、これにより、子供に対し、親の監視下で、親が所有する端末を利用したホームページの閲覧等を許可することができる。また、このように位置情報による利用の可否やその範囲は、アプリケーションごとに設定されても良い。
【００８６】
そして、本実施の形態では、親用端末１００が子供用端末２００の支配下で使用される場合であっても、表２を参照して説明したように親用端末１００内の登録データの利用範囲を制限できる。このため、親用端末１００のユーザのプライバシーの保護も可能となる。
【００８７】
なお、以上説明した本実施の形態では、親用端末１００と子供用端末２００の例示として、通話機能を有する携帯電話機が挙げられたが、両端末ともにこれに限定されない。通信機能を有する端末（装置）であれば、通話機能は備えていなくとも良い。また、いずれも携帯性がある端末が例示されたが、これに限定されず、設置型の端末（装置）によって実現されても良い。
【００８８】
また、表１および表２に挙げられた制限情報は、端末の種類ごとに登録されていても良い。たとえば、システムにおいて子供用端末が複数存在している場合であって、そのうち１つが高校生がメインのユーザであり、他の１つが小学生がメインのユーザである場合を考える。このような場合、表１に示したような制限情報において、高校生がメインのユーザである子供用端末２００についてはウェブブラウザに関し閲覧制限を設けず、小学生がメインのユーザである子供用端末２００についてはウェブブラウザに関し閲覧禁止ＵＲＬを登録することが考えられる。この場合、制御部２５０は、ステップＳＢ３０およびステップＳＢ４０において、端末ごと（ユーザごと）に登録された複数の制限情報のうち、ステップＳＢ１０でペアリング申請を受信した相手端末に対応した制限情報を参照することによって、操作可能アプリの検索やデータのロックを実行する。
【００８９】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９０】
３０，２３０  表示部、４０  タッチセンサ、５０，２５０  制御部、５０Ａ，２５０Ａ  ネットワーク処理部、５０Ｂ，２５０Ｂ  ペアリング処理部、５０Ｃ，２５０Ｃ  アプリ制御部、５０Ｄ  データ制御部、５１，２５１  表示制御部、５３，５４，２５３，２５４  音声出力制御部、５５，２５５  音声入力制御部、５６，２５６  レシーバ、５７，２５７  スピーカ、５８，２５８  マイク、６０，２６０  記憶部、６１，２６１  プログラム記憶部、６２，２６２  設定内容記憶部、６３，２６３  データ記憶部、８０，２８０  通信制御部、８１，２８１  アンテナ、９０，２９０  無線通信モジュール、９１，２９１  カメラ、１００  親用端末、２００  子供用端末、２４０  操作ボタン。
【図１】
2013157863.tif 000005
【図２】
2013157863.tif 000006
【図３】
2013157863.tif 000007
【図４】
2013157863.tif 000008
【図５】
2013157863.tif 000009
【図６】
2013157863.tif 000010
【図７】
2013157863.tif 000011
【図８】
2013157863.tif 000012